(57)【要約】      （修正有）【課題】家族、チーム、会社員、協会員などの共同体のメンバーが、共同意識を高めることができる身飾品を提供する。【解決手段】身飾品がイヤリング、貴金属製き章、貴金属製バッジ、貴金属製ボンネットピン、ネクタイ止め、ネクタイピン、ネックレス、ブレスレット、ペンダント、宝石ブローチ、メダル、指輪、ロケット、カフスボタン、キーホルダーまたは時計であって、家族、チーム、会社員、協会員などの共同体のメンバーが作成した絵、文字または図案を、レーザー彫刻機により、少なくとも一部を彫刻した。【選択図】図３
0003210294.tif 000002
【実用新案登録請求の範囲】
【請求項１】
家族、チーム、会社員、協会員などの共同体員のメンバーが作成した絵、文字または図案をレーザー彫刻機により少なくとも一部を彫刻したことを特徴とする身飾品、キーホルダーまたは時計。
【請求項２】
請求項１の身飾品、キーホルダーまたは時計にＩＣタグを埋め込んだことを特徴とする身飾品、キーホルダーまたは時計。
【請求項３】
請求項１の身飾品がイヤリング、貴金属製き章、貴金属製バッジ、貴金属製ボンネットピン、ネクタイ止め、ネクタイピン、ネックレス、ブレスレット、ペンダント、宝石ブローチ、メダル、指輪、ロケットまたはカフスボタンである身飾品。
【請求項４】
家族またはチームのメンバーが作成した絵、文字または図案をレーザー彫刻機により少なくとも一部を彫刻したことを特徴とする指輪、ペンダント、イヤリング、ブレスレット、ピアス、ネックレス、カフスボタン、腕輪またはネックタイピンなどの身飾品。
【請求項５】
家族が作成した絵、文字または図案をレーザー彫刻機により少なくとも一部を彫刻したことを特徴とする指輪、ペンダント、イヤリング、ブレスレット、ピアス、ネックレス、カフスボタン、腕輪またはネックタイピンなどの身飾品。
【考案の詳細な説明】
【技術分野】
【０００１】  本考案は、レーザー彫刻された身飾品に関する。
【背景技術】
【０００２】  身飾品には花鳥風月や様々なデザインが彫刻されている。指輪、ペンダント、イヤリング、ブレスレット、ピアス、ネックレス、カフスボタン、腕輪またはネックタイピンなどの身飾品に彫刻するには型に溶融した金属を流し込み作成される方法がある。この方法では鋳型を作成する必要が有り個数の少ないときはコスト高くなる。その他金属を切削することにより彫刻される方法もあるが一個ずつ彫刻するために製造時間がかかり、製造コストも高くなる。また、いずれの方法も微細な加工が難しいため繊細さに欠けた図案となる。
レーザーによる彫刻も知られているが身飾品メーカーの既成のデザインを彫刻している。
【先行技術文献】
【０００３】  身飾品に彫刻されるデザインは一般的には身飾品メーカーによって決定されている。消費者は一方的に示されたデザインの中から好みに合ったものを選択する。実用新案登録第３０６２５７８号には指紋をデザインした貴金属宝飾具が提案されている。特定の人の指紋を、コピー等をして、指紋の鋳型を作り、金、銀等の柔らかい貴金属では、それを、貴金属プレートの表面に押し付けて、作成している。（先行実用新案１）
【特許文献１】実用新案登録第３０６２５７８号
【考案の概要】
【考案が解決しようとする課題】
【０００４】  家族、チーム、会社員、協会員などの共同体員のメンバーが共同体員のメンバーの共同意識を高めることができる身飾品を作製することにある。家族、チーム、会社員、協会員などの共同体員のメンバーが作成したものを使用することにより身飾品メーカーの既成の図案では得られない共同意識を持つことができる。
【課題を解決するための手段】
【０００５】  本考案はイヤリング、貴金属製き章、貴金属製バッジ、貴金属製ボンネットピン、ネクタイ止め、ネクタイピン、ネックレス、ブレスレット、ペンダント、宝石ブローチ、メダル、指輪、ロケットやカフスボタンなどの身飾品やキーホルダーや時計などに適用される。
本考案の図案は家族、チーム、会社員、協会員などの共同体員のメンバーが直接作成したものが好ましい。直接図案を作成することが困難な場合はデザイナーなどに図案のイメージを伝えて作成しても良い。
身飾品として共通の意識を高めるデザインを彫刻したものを身に着けることによって家族、チーム、会社員、協会員などの共同体員のメンバーの共同意識を高めることができる。また、家族においては家族愛を感じることができる。
本考案の身飾品は描かれた図案を適当な大きさに縮小または拡大してレーザー彫刻機によりアルミニウム、銀、金、プラチナ、ステンレスなどの金属、木、皮、ゴム、アクリル樹脂、ポリエステル樹脂やＡＢＳ樹脂などのプラスチック、セラミックス、貴石、ダイヤモンド、真珠などに彫刻することによって製作できる。レーザー彫刻機による彫刻は予めイヤリング、貴金属製き章、貴金属製バッジ、貴金属製ボンネットピン、ネクタイ止め、ネクタイピン、ネックレス、ブレスレット、ペンダント、宝石ブローチ、メダル、指輪、ロケットまたはカフスボタンなどの身飾品やキーホルダーや時計などに直接レーザーにより彫刻しても良いし、レーザー彫刻機により彫刻した材料を加工して身飾品、キーホルダーや時計としても良い。また、一部をレーザー彫刻して残りの部分を切削による彫刻を併用しても良い。
また、本考案の身飾品にＩＣタグを埋め込むことにより、非接触リーダーによる読み取り、入門管理などにも使用できる。【０００６】  家族の描いた図案としては子供が描いた絵、文字や父親、母親、祖父、祖母が書いた絵や文字などが挙げられる。
チーム、会社員、協会員の描いた図案としてはメンバーの絵、サイン、文字、デザインやロゴなどが挙げられる。
家族やチーム、会社員、協会員などが直接描いたものが好ましいが直接図案を作成することが困難な場合はデザイナーなどに図案のイメージを伝えて作成しても良い。また、構成員の共通認識となっている図案でも良い。
【実施例】
【０００７】  本考案を具体的に説明するために実施例によって示す。
子供が作成した絵（図１）を元に、絵の主要部分を写真に撮り大きさを調整して図案化する。（図２）次にこの絵をＳＩＳＭＡ製ＳＭＡＲＫ５００レーザー彫刻機により銀製ペンダントの表面に彫刻した。（図３）
このように作成したペンダントを両親、祖父、祖母が身に着けることで子供の愛情を感じることができる。また、子供の成長に合わせて図案が変化することで子供の成長を実感することができる。
【産業上の利用可能性】
【０００８】  本考案は身飾品として使用できる。また、ＩＣタグを埋めたものはカードリーダーとの組み合わせで電子鍵などに使用することができる。
【図面の簡単な説明】
【０００９】
【図１】子供の描いた絵
【図２】写真に撮り縮小した図案
【図３】図案に基づきレーザー彫刻したペンダント
【図１】
0003210294.tif 000003
【図２】
0003210294.tif 000004
【図３】
0003210294.tif 000005
【手続補正書】
【提出日】平成29年1月27日(2017.1.27)
【手続補正１】
【補正対象書類名】実用新案登録請求の範囲
【補正対象項目名】全文
【補正方法】変更
【補正の内容】
【実用新案登録請求の範囲】
【請求項１】
家族、チーム、会社員、協会員などの共同体員のメンバーが作成した絵、文字または図案をレーザー彫刻機により少なくとも一部を彫刻したことを特徴とする身飾品。
【請求項２】
請求項１の身飾品にＩＣタグを埋め込んだことを特徴とする身飾品。
【請求項３】
請求項１の身飾品がイヤリング、貴金属製き章、貴金属製バッジ、貴金属製ボンネットピン、ネクタイ止め、ネクタイピン、ネックレス、ブレスレット、ペンダント、宝石ブローチ、メダル、指輪、ロケット、カフスボタン、キーホルダーまたは時計である身飾品。
【請求項４】
家族またはチームのメンバーが作成した絵、文字または図案をレーザー彫刻機により少なくとも一部を彫刻したことを特徴とする指輪、ペンダント、イヤリング、ブレスレット、ピアス、ネックレス、カフスボタン、腕輪、ネックタイピン、キーホルダーまたは時計などの身飾品。
【請求項５】
家族が作成した絵、文字または図案をレーザー彫刻機により少なくとも一部を彫刻したことを特徴とする指輪、ペンダント、イヤリング、ブレスレット、ピアス、ネックレス、カフスボタン、腕輪、ネックタイピン、キーホルダーまたは時計などの身飾品。